(57)【要約】【課題】シャワーノズルに未洗浄部が残ることを防止可能な洗浄具を提供すること。【解決手段】洗浄具１０は、胴部２２、及び、胴部２２の一端を閉塞する底部２３を備える外郭体２０と、胴部２２の内周面２４に螺線状に形成された第１の洗浄部４１と、を備える。【選択図】      図１
2019065504.tif 000002
【特許請求の範囲】
【請求項１】
胴部、及び、前記胴部の一端を閉塞する底部を具備する外郭体と、
前記胴部の内面に螺線状に形成された洗浄部と、
を具備する洗浄具。
【請求項２】
胴部、及び、前記胴部の一端を閉塞する底部を具備する外郭体と、
前記胴部の内面に、前記胴部の周方向及び軸方向に隙間を有して配置された複数の洗浄部材により構成された洗浄部と、
を具備する洗浄具。
【請求項３】
前記洗浄部の内周面及び側面がなす角度は、９０度未満である
請求項１または請求項２に記載の洗浄具。
【請求項４】
前記胴部に着脱可能に形成され、前記胴部に取り付けられた状態において前記胴部の他端の開口を閉塞する蓋部材を具備する
請求項１または請求項２に記載の洗浄具。
【請求項５】
前記胴部に着脱可能に形成され、前記胴部に取り付けられた状態において前記底部を構成する蓋部材を具備する
請求項１または請求項２に記載の洗浄具。
【発明の詳細な説明】
【技術分野】
【０００１】
本発明は、例えば便器に設けられたシャワーノズルを洗浄する洗浄具に関する。
【背景技術】
【０００２】
人の臀部を洗浄するシャワーノズルを有する便器が知られている。この種の便器では、衛生上、シャワーノズルを洗浄することが望まれている。シャワーノズルの洗浄に用いられる洗浄具としては、内部にシャワーノズルを収容可能な筒状の外郭体、及び外郭体の内周面に設けられた洗浄ブラシを有する洗浄具が知られている。洗浄ブラシは、外郭体の周方向に４箇所設けられており、それぞれ、外郭体の軸方向に延びている（例えば、特許文献１参照。）。
【先行技術文献】
【特許文献】
【０００３】
【特許文献１】特開２００８−２４０４９７号公報
【発明の概要】
【発明が解決しようとする課題】
【０００４】
しかしながら、特許文献１の洗浄具には、以下の問題があった。すなわち、シャワーノズルの周面全体を洗浄する為には、使用者は、洗浄具をシャワーノズル回りに回動する必要がある。この為、使用者は、洗浄具の使用方法として、洗浄具をシャワーノズル回りに回動することを知っておく必要がある。使用者が、洗浄具をシャワーノズルに沿って軸方向にのみ移動すると、シャワーノズルにおいて洗浄ブラシが接触していない部分は、洗浄されないこととなる。すなわち、シャワーノズルに未洗浄部が残る。
【０００５】
この為、本発明は、シャワーノズルに未洗浄部が残ることを防止可能な洗浄具を提供することを目的とする。
【課題を解決するための手段】
【０００６】
本発明の洗浄具は、胴部、及び、前記胴部の一端を閉塞する底部を具備する外郭体と、前記胴部の内面に螺線状に形成された洗浄部と、を備える。
【０００７】
他の本発明の洗浄具は、胴部、及び、前記胴部の一端を閉塞する底部を具備する外郭体と、前記胴部の内面に、前記胴部の周方向及び軸方向に隙間を有して配置された複数の洗浄部材により構成された洗浄部と、を備える。
【発明の効果】
【０００８】
本発明によれば、シャワーノズルに未洗浄部が残ることを防止可能な洗浄具を提供できる。
【図面の簡単な説明】
【０００９】
【図１】本発明の第１の実施形態に係る洗浄具を示す正面図である。
【図２】第１の実施形態に係る洗浄具を示す平面図である。
【図３】第１の実施形態に係る洗浄具の製造途中の状態を示す斜視図である。
【図４】第１の実施形態に係る洗浄具の製造途中の状態を示す斜視図である。
【図５】第１の実施形態に係る洗浄具の変形例を示す展開図である。
【図６】第１の実施形態に係る洗浄具の変形例を示す展開図である。
【図７】図６の洗浄具を示す断面図である。
【図８】第１の実施形態に係る洗浄具の変形例を示す展開図である。
【図９】第１の実施形態に係る洗浄具の変形例を示す展開図である。
【図１０】第１の実施形態に係る洗浄具の変形例を示す展開図である。
【図１１】第１の実施形態に係る洗浄具の変形例を示す断面図である。
【図１２】本発明の第２の実施形態に係る洗浄具を示す正面図である。
【発明を実施するための形態】
【００１０】
本発明の第１の実施形態に係る洗浄具を、図１乃至図１１を用いて説明する。図１は、洗浄具１０を示す正面図である。図２は、洗浄具１０を示す平面図である。図３及び図４は、洗浄具１０の製造途中の状態を示す斜視図である。洗浄具１０は、例えば、便器に設けられた、人の臀部を洗浄するシャワーノズル５を洗浄可能に形成されている。
【００１１】
図１に示すように、洗浄具１０は、開口２１を有する外郭体２０、外郭体２０に着脱可能に取り付けられ、開口２１を塞ぐ蓋部材３０、及び、外郭体２０の内面に設けられた洗浄部４０を有している。
【００１２】
外郭体２０は、胴部２２、胴部２２の一端に形成された底部２３を有している。胴部２２は、一例として円筒状に形成されている。底部２３は、胴部２２の一端を閉塞している。底部２３は、例えば、胴部２２と一体に形成されている。胴部２２及び底部２３は、透明な材料から形成されており、外部から外郭体２０の内部を見ることができる。胴部２２及び底部２３は、例えば、樹脂材料から形成されている。
【００１３】
蓋部材３０は、蓋部材用胴部３１、及び蓋部材用底部３２を有している。蓋部材用胴部３１は、内部に胴部２２が嵌合可能に形成されている。蓋部材用胴部３１は、本実施形態では、円筒状に形成されている。
【００１４】
蓋部材用底部３２は、蓋部材用胴部３１の一端を閉塞している。蓋部材用底部３２は、例えば、蓋部材用胴部３１と一体に形成されている。蓋部材３０は、例えば、透明な材料から形成されている。蓋部材３０は、例えば樹脂材料から形成されている。
【００１５】
洗浄部４０は、胴部２２の内周面２４に形成された第１の洗浄部４１、及び底部２３の内面に形成された第２の洗浄部４２を有している。
【００１６】
第１の洗浄部４１は、帯状に形成された第１の洗浄部材４３が内周面２４に螺旋状に固定されることにより、形成されている。第１の洗浄部材４３は、第１の洗浄部材４３の長手方向に直交する断面が、矩形状に形成されている。第１の洗浄部材４３は、液状、粉状、または泥状の洗剤を保持可能な材料から形成されている。
【００１７】
第１の洗浄部材４３は、例えば、スポンジ、不織布、及び、布の少なくとも１つから構成されている。なお、第１の洗浄部材４３は、スポンジ、不織布、及び布の少なくとも１つであることに限定されない。第１の洗浄部材４３は、要するに、液状、粉状、または泥状の洗剤を保持可能であり、かつ、シャワーノズル５に付着した汚物をこすり落とすことが可能な材料であればよい。
【００１８】
第１の洗浄部４１の、当該第１の洗浄部材４３の延びる方向の一端４１ａは、胴部２２の開口２１の縁に固定されている。第１の洗浄部材４３の他端４１ｂは、第２の洗浄部４２に接触する位置に固定されている。第１の洗浄部４１は、一端４１ａ及び他端４１ｂの間の部分が、胴部２２の内周面２４を、少なくとも、一周する螺線形状を有している。本実施形態では、第１の洗浄部４１は、内周面２４を二周する螺線形状を有している。
【００１９】
なお、少なくとも一周する形状とは、図２に示すように第１の洗浄部４１を胴部２２の開口２１側から軸方向に見たときに、一端４１ａ及び他端４１ｂが胴部２２の軸方向に重なる形状、または、一端４１ａ及び他端４１ｂが、胴部２２の軸方向に、第１の洗浄部４１に重なる形状である。
【００２０】
第１の洗浄部４１は、図１中の範囲Ｆ１内に断面を示すように、内面４１ｃ、及び、２つの側面４１ｄを有している。範囲Ｆ１は、第１の洗浄部４１を、第１の洗浄部４１の中心線に直交する断面に沿って切断した状態を示している。範囲Ｆ１に示すように、内面４１ｃは、胴部２２の軸線側に向く面である。側面４１ｄは、内周面２４から立ち上がる面である。第１の洗浄部材４３の断面が矩形状に形成されることから、内面４１ｃ及び側面４１ｄがなす角部４１ｅは、９０度である。
【００２１】
第１の洗浄部４１の厚みｔは、第１の洗浄部４１の内径Ｄが、シャワーノズル５の外径より小さく、かつ、第１の洗浄部４１が径方向に圧縮されることにより内側にシャワーノズル５がフィットする厚みであることが好ましい。なお、第１の洗浄部４１の内径Ｄは、第１の洗浄部４１の内面４１ｃにより形成される仮想円Ｃの内径である。仮想円Ｃは、洗浄具１０を胴部２２の軸方向に移動したとき、または、洗浄具１０を胴部２２の軸線回りに回動したときに、内面４１ｃにより形成される円筒面を、胴部２２の軸線に直交する断面に沿って切断したときに形成される円である。
【００２２】
図２には、シャワーノズル５の輪郭を２点鎖線で示している。なお、シャワーノズル５の外径に規格はない。この為、第１の洗浄部４１の厚みｔ、及び、第１の洗浄部４１の内径Ｄは、シャワーノズル５の外径を想定して決定されている。例えば、第１の洗浄部４１の厚みｔは、一般的に多く使用されているシャワーノズル５の外径に基づいて、決定されてもよい。または、厚みｔが異なる複数種類の洗浄具１０が設けられてもよい。使用者は、シャワーノズル５の外径に応じて、適した厚みｔ及び内径Ｄを有する洗浄具１０を選択できる。
【００２３】
第２の洗浄部４２は、円板状の第２の洗浄部材４５を底部２３の内面に固定することにより構成されている。第２の洗浄部材４５は、例えば、底部２３と同径の円板状に形成されている。
【００２４】
次に、洗浄部４０の形成方法の一例を説明する。まず、底部２３に第２の洗浄部材４５を例えば接着剤で固定することにより、第２の洗浄部４２を形成する。接着剤は、両面の粘着テープであってもよい。次に、第１の洗浄部４１を形成する。
【００２５】
図３及び図４に示すように、第１の洗浄部４１の形成には、第１の洗浄部材４３を支持する支持装置５０が用いられる。
【００２６】
支持装置５０は、円筒状に形成された支持部５１、及び支持部５１を変位可能に支持する支持機構を有している。支持部５１は、複数の円弧部５２から構成されている。支持機構は、図３に示すように複数の円弧部５２が周方向に接触した第１の状態Ｖ１、及び、図４に示すように、周方向に隣接する円弧部５２間に隙間Ｓを有する第２の状態Ｖ２の間で支持部５１を変位可能に構成されている。支持部５１の中心から各円弧部５２の外面までの距離は、第１の状態Ｖ１に比較して第２の状態Ｖ２の方が長い。第１の状態Ｖ１の支持部５１に第１の洗浄部材４３を螺線状に巻回したときの、第１の洗浄部材４３の外径は、胴部２２の内径よりも小さい。
【００２７】
第１の洗浄部４１を形成する際には、まず、支持装置５０の第１の状態Ｖ１の支持部５１の外表面に第１の洗浄部材４３を螺旋状に巻回する。次に、第１の洗浄部材４３の外面に接着剤を塗布する。なお、第１の洗浄部材４３を巻回する作業、第１の洗浄部材４３に接着剤を塗布する作業は、どちらが先でもよい。接着剤に換えて、両面の粘着テープを貼り付けてもよい。
【００２８】
次に、第１の洗浄部材４３が巻回された支持部５１を、図３に示すように胴部２２内に、開口２１を通して挿入する。上述のように、支持部５１が第１の状態Ｖ１にあるときは、第１の洗浄部材４３の外径は胴部２２の内径よりも小さい。この為、胴部２２内に、第１の洗浄部材４３が巻回された第１の状態Ｖ１にある支持部５１を挿入しても、第１の洗浄部材４３及び胴部２２の内周面２４の間には隙間Ｓを確保できるので、第１の洗浄部材４３が巻回された第１の状態Ｖ１にある支持部５１を胴部２２内に挿入することができる。
【００２９】
次に、支持装置５０を操作して、支持部５１を図４に示すように第２の状態Ｖ２に変位する。支持部５１が第２の状態Ｖ２に変位することにより、第１の洗浄部材４３が胴部２２の内周面２４に押し付けられる。第１の洗浄部材４３は、胴部２２の内周面２４に押し付けられると、接着剤により、内周面２４に固定される。第１の洗浄部材４３が内周面２４に固定されることにより、螺線状の第１の洗浄部４１が形成される。
【００３０】
第１の洗浄部４１及び第２の洗浄部４２が形成されると、次に、第１の洗浄部４１及び第２の洗浄部４２に洗剤を付着させる。洗剤は、粉状の洗剤、泥状の洗剤、または液状の洗剤であってもよい。なお、洗剤の状態（相）は、粉状、泥状、及び液状のいずれかに限定されるものではない。洗剤の成分としては、酸、研磨材、界面活性剤等を挙げることができる。
【００３１】
酸は、常温で固体である有機酸、及び無機酸の少なくとも一方を用いることができ、例えば、氷酢酸、安息香酸、ショウ酸、乳酸、サリチル酸、マンデル酸、リンゴ酸、コハク酸、クエン酸、イソクエン酸、酒石酸、グルコン酸、エチレンジアミンテトラ酢酸等の１種若しくは２種以上を混合して用いることができる。
【００３２】
研磨材は、モース硬度１〜４、好ましくはモース硬度２〜３の研磨材である。研磨材の粒径は、８０μｍ以下、好ましくは４μｍから２０μｍである。
界面活性剤は、従来洗浄剤として使用されている界面活性剤を挙げることができるが、好ましくはノニオン界面活性剤、アニオン系界面活性剤、両性界面活性剤又はこれらの組み合わせを用いることができる。
上記界面活性剤のうち、ノニオン系界面活性剤としては、炭素数１０〜１８のアルキル基を有し、エチレンオキサイドの平均付加モル数２〜３０のポリオキシエチレンアルキル又はアルケニルエーテル、ポリオキシエチレンポリオキシプロピレンアルキル又はアルケニルエーテル、ポリオキシエチレンアルキルフェニルエーテル、ポリオキシエチレンアルキルアミン、炭素数１０〜２０のアルキル基を有し、エチレンオキサイドの平均付加モル数１〜３０のメトキシポリオキシエチレンアルカノエート、炭素数１０〜２０の高級脂肪酸アルカノールアミド、炭素数８〜１８のアルキル基を有し、グルコースユニットの平均付加モル数１〜３のアルキルポリグルコシド、炭素数１０〜１４のアルキル基を有し、グリセリンユニットの平均付加モル数１〜３のアルキルグリセリルエーテル等を挙げることができる。
また、アニオン界面活性剤としては、例えばα−オレフィンスルホネート（ＡＯＳ）、アルカンスルホン酸、飽和または不飽和のＣ１２〜Ｃ１８脂肪酸石鹸、Ｃ８〜Ｃ１８脂肪酸メチルエステルスルホン酸塩、ポリオキシエチレンアルキル硫酸塩等を挙げることができる。
さらに、両性界面活性剤としては、アルキルカルボベタイン、アルキルジメチルアミンオキシド、アルキルアミドプロピルアミンオキサイド、アルキルスルホベタイン、アルキルアミドヒドロキシスルホベタイン、アルキルアミドアミン型ベタイン及びアルキルイミダゾリン型ベタイン等を挙げることができる。
【００３３】
洗浄部４０が形成されると、蓋部材３０が外郭体２０に取り付けられる。蓋部材３０により、外郭体２０の開口２１が閉塞される。
【００３４】
次に、洗浄具１０の使用方法の一例を説明する。使用者は、外郭体２０から蓋部材３０を取り外す。使用者は、蓋部材３０を取り外すと、外郭体２０の開口２１を通して、外郭体２０内に水を入れる。水は、シャワーノズル５の洗浄に使用される適量が入れられる。外郭体２０には、例えば、水の適量を示す目印が形成されてもよい。
【００３５】
使用者は、外郭体２０内に水を入れると、蓋部材３０を外郭体２０に取り付けて、開口２１を閉塞する。使用者は、蓋部材３０を取り付けると、洗浄具１０を振る。蓋部材３０が取り付けられて開口２１が閉塞された状態で洗浄具１０が振られることにより、水が開口２１より外部に出ることが防止される。
【００３６】
洗浄具１０が振られることにより、内部の水が洗浄部４０に浸透する。さらに、洗浄部４０に付着した洗剤が水に溶け、使用者が洗浄具１０を振ることにより、洗剤が泡立つ。
【００３７】
使用者は、洗浄部４０に水が浸透するに十分な時間、洗浄具１０を振ると、蓋部材３０を取り外す。なお、ここで言う十分な時間は、例えば予め実験等により得られている。この十分な時間は、例えば、洗浄具１０のパッケージや使用説明書に記載されていてもよい。
【００３８】
使用者は、蓋部材３０を取り外すと、図１に示すように、便器のシャワーノズル５を、開口２１を通して外郭体２０内に挿入する。本実施形態では、シャワーノズル５の外径が、第１の洗浄部４１の内径よりも大きい。この為、シャワーノズル５が外郭体２０内に挿入されると、第１の洗浄部４１はシャワーノズル５により押し広げられる。このため、第１の洗浄部４１の内面４１ｃは、シャワーノズル５の外周面に接触する。
【００３９】
使用者は、シャワーノズル５を外郭体２０内に挿入すると、洗浄具１０を、洗浄具１０の軸方向に移動させる。または、使用者は、洗浄具１０をシャワーノズル５回りに回動させる。このように、洗浄具１０の軸方向の移動、及び洗浄具１０の回動により、洗浄部４０がシャワーノズル５の表面に対して擦れるので、シャワーノズル５が洗浄される。
【００４０】
さらに、第１の洗浄部４１が螺線状に形成されることにより、使用者が洗浄具１０を洗浄具１０の軸方向に移動しても、または、洗浄具１０を回動しても、第１の洗浄部４１の角部４１ｅがシャワーノズル５の表面全体に当たる。この為、角部４１ｅにより、シャワーノズル５の表面に付着した汚れがこそぎ落とされる。また、外郭体２０及び蓋部材３０が透明であることから、使用者は、洗浄中のシャワーノズル５を外部から確認できる。
【００４１】
さらに、シャワーノズル５の先端を第２の洗浄部４２に当接させた状態で洗浄具１０をシャワーノズル５回りに回動することにより、シャワーノズル５の先端が洗浄される。
【００４２】
このように構成された洗浄具１０では、第１の洗浄部４１が螺線状に形成されることにより、使用者は、洗浄具１０を、胴部２２の軸方向に移動し、または、洗浄具１０をシャワーノズル５回りに回動することにより、シャワーノズル５の全周面を洗浄できる。この為、使用者が、洗浄具１０を胴部２２の軸方向に移動する使用方法のみ、または、洗浄具１０をシャワーノズル５回りにのみ回動する使用方法のみを選択しても、シャワーノズル５の全体を洗浄することができるので、未洗浄部が残ることを防止できる。
【００４３】
さらに、使用者は、洗浄具１０の使用方法として、胴部２２の軸方向に移動する使用方法、または、シャワーノズル５回りに回動する使用方法のうち、やりやすい方を選択できる。この為、使用者の疲労を低減できるので、洗浄時の使用者の負担を軽減できる。
【００４４】
さらに、蓋部材３０により外郭体２０の開口２１が閉塞されるので、洗浄具１０の保管時に、外郭体２０内にごみが入り込むことを防止できる。さらに、洗浄部４０に付着された洗剤が、液状である場合には、洗浄具１０の保管時に洗剤が乾燥することを防止できる。さらに、外郭体２０内に水を入れて振ることにより洗浄部４０に浸透させる際に、開口２１より水及び洗剤が漏れ出ることを防止できる。このように、洗浄具１０の使い勝手をより一層良くすることができる。
【００４５】
さらに、蓋部材３０により、洗浄具１０の剛性を向上できる。この為、保管時に例えば落下するなどして外力が加わったときに胴部２２が変形することを防止できる。胴部２２が変形することにより、胴部２２の内周面２４及び第１の洗浄部材４３の間に隙間が生じ、第１の洗浄部材４３が部分的にはがれる可能性がある。保管時に第１の洗浄部材４３が部分的にはがれると、接着剤が乾燥してしまい、内周面２４からはがれる範囲が増大する可能性がある。しかしながら、洗浄具１０の保管時では蓋部材３０により洗浄具１０の剛性を向上できるので、第１の洗浄部材４３がはがれることを防止可能である。
【００４６】
なお、本実施形態では、第１の洗浄部４１は、一条の螺線状に形成された。しかしながら、第１の洗浄部４１は、一条の螺線状に形成されることに限定されない。例えば、図５に示す洗浄具１０の変形例のように、第１の洗浄部４１は、複数の第１の洗浄部材４３が胴部２２の内周面２４に固定されることによって複数条の螺線状に形成されてもよい。なお、図５は、外郭体２０の胴部２２を展開した状態を示している。なお、展開した状態とは、胴部２２が、一枚の板部材を曲げることにより筒状に形成されている場合は、元の一枚の板に戻した状態である。胴部２２が、例えば押し出し成形などで、切れ目のない筒状に形成されている場合は、胴部２２を胴部２２の軸方向に沿って切断して開いた状態である。なお、図５では、底部２３は省略されている。胴部２２を展開した板２２ａは、平面視で矩形に形成されている。複数の第１の洗浄部材４３は、板２２ａの４辺に対して傾斜する方向に延びており、かつ、互いに平行に配置されている。
【００４７】
また、本実施形態では、第１の洗浄部４１は、帯状の第１の洗浄部材４３を胴部２２の内周面２４に螺線状に固定することにより形成された。しかしながら、第１の洗浄部４１は、第１の洗浄部材４３により形成されることに限定されない。
【００４８】
第１の洗浄部４１は、図６及び図７に示す変形例のように、シート状に形成された第３の洗浄部材６０により形成されてもよい。図６は、本変形例の洗浄具１０の外郭体２０の胴部２２を展開した状態を示している。なお、図６では、底部２３は省略されている。図６に示すように、第３の洗浄部材６０は、胴部２２を展開した板２２ａの内周面２４と略同面積を有するシート状に形成されており、表面に、複数の溝６１が形成されている。すなわち、第３の洗浄部材６０は、胴部２２の開口２１から底部２３まで延びている。複数の溝６１は、互いに平行に延びている。複数の溝６１は、矩形状の板２２ａの各辺に対して傾斜する斜め方向に延びている。
【００４９】
図７は、図６に示す展開された胴部２２を、溝６１の長手方向に直交する断面に沿って切断した状態を示す断面図である。図７に示すように、隣接する２つの溝６１間の部分は、溝６１の底面６２に対して突出することにより、螺線状の突出部６３に形成される。突出部６３は、その中心線に直交する断面が矩形状に形成されている。
【００５０】
突出部６３は、胴部２２の軸線側に向く内面６３ａ、及び、両側面６３ｂを有している。内面６３ａ及び側面６３ｂのなす角部６３ｃの角度は、９０度である。
【００５１】
また、本実施形態では、第１の洗浄部４１は、螺線状に形成された。しかしながら、第１の洗浄部４１は、螺線状に形成されることに限定されない。第１の洗浄部４１は、図８及び図９に示す変形例のように、複数の第４の洗浄部材７０が、胴部２２の周方向及び軸方向に隙間Ｓ２を有して配置されることによって構成されてもよい。なお、図８及び図９は、胴部２２を展開した状態を示している。
【００５２】
図８及び図９に示すように、複数の第４の洗浄部材７０は、それぞれ、胴部２２の内周面２４に設定された、第１の線Ｌ１及び第２の線Ｌ２に重なる大きさを有する。第１の線Ｌ１は、胴部２２の軸方向に沿う直線であり、胴部２２の周方向に等間隔離間して複数配置される。
【００５３】
第２の線Ｌ２は、胴部２２の周方向に平行な線であり、胴部２２の軸方向に等間隔離間して配置される。第２の線Ｌ２は、実際は環であるが、図８及び図９は、胴部２２が展開された状態が示されているため、直線状に示されている。なお、図８及び図９に示す変形例では、隣接する２つの第１の線Ｌ１の間の間隔、及び、隣接する２つの第２の線Ｌ２の間隔は、一例として、同じである。第１の線Ｌ１及び第２の線Ｌ２は、内周面２４に設定された線であり、実際に視認可能に描かれたものまたは形成されたものではない。なお、目印として視認可能に描かれてもまたは形成されてもよい。
【００５４】
第４の洗浄部材７０は、図８に示すように平面視で矩形状に形成されてもよいし、または、図９に示すように平面視で円状に形成されてもよい。第４の洗浄部材７０の形状は限定されるものではない。なお、図８及び図９は、胴部２２を展開した状態を示す平面図である。また、図８及び図９では、第４の洗浄部材７０を明確にする為に、ハッチングを付している。図８及び図９に示される第４の洗浄部材７０は、断面が示されているものではない。
【００５５】
このように、第４の洗浄部材７０が、胴部２２の周方向及び軸方向に隙間Ｓ２を有して複数配置され、かつ、隣接する２つの第１の線Ｌ１、及び隣接する２つの第２の線Ｌ２に重なる大きさを有することにより、胴部２２内を開口２１から胴部２２の軸方向に見ると、内周面２４の周方向に並ぶ複数の第４の洗浄部材７０、及び軸方向に一列ずれて配置されて周方向に並ぶ複数の第４の洗浄部材７０が軸方向に重なることにより、第１の洗浄部４１は胴部２２の周方向に環状に連続する形状に見える。胴部２２を周方向に見た場合においても同様に、第１の洗浄部４１は、軸方向に連続した直線状の形状に見える。
【００５６】
なお、図８では、第４の洗浄部材７０は、隣接する２つの第１の線Ｌ１、及び隣接する２つの第２の線Ｌ２により構成された矩形の範囲と同じ形状に形成されており、それゆえ、第１の線Ｌ１及び第２の線Ｌ２に重なっている。他の例では、少なくとも１つの第４の洗浄部材７０は、図中２点鎖線で示すように、第１の線Ｌ１及び第２の線Ｌ２を内側に配置する大きさに形成されてもよい。図９では、第４の洗浄部材８０は、隣接する２つの第１の線Ｌ１、及び隣接する２つの第２の線Ｌ２により囲まれる矩形の範囲の４辺に接触する円形に形成されている。他の例では、少なくとも１つの第４の洗浄部材８０は、図中２点鎖線で示すように、第１の線Ｌ１及び第２の線を内側に配置する大きさに形成されてもよい。
【００５７】
第４の洗浄部材７０は、図８中の範囲Ｆ８、及び、図９中の範囲Ｆ９に示すように、断面が矩形状に形成されている。範囲Ｆ８，Ｆ９は、第４の洗浄部材７０を、第４の洗浄部材７０の厚み方向に沿う断面に沿って切断した状態を示している。
【００５８】
範囲Ｆ８及び範囲Ｆ９に示すように、第４の洗浄部材７０は、内面７１、及び周面７２を有している。内面７１は、胴部２２の軸線側に向く面である。周面７２は、胴部２２の内周面２４から立ち上がる面である。内面７１及び周面７２のなす角部７３は、９０度である。
【００５９】
複数の第４の洗浄部材７０が、隣接する２つの第１の線Ｌ１、及び隣接する２つの第２の線Ｌ２に重なり、胴部２２の周方向及び軸方向に隙間Ｓ２を有して配置されることにより、洗浄具１０が胴部２２の軸方向に移動されても、または、胴部２２の周方向に回動されても、複数の第４の洗浄部材７０の角部７３によりシャワーノズル５の表面全体が洗浄されることとなる。
【００６０】
また、第１の洗浄部４１は、図１０に示す変形例のように、直線状の第５の洗浄部材９０が、胴部２２の軸方向に平行となるように、周方向に複数個所に内周面２４に固定されることにより構成されてもよい。第５の洗浄部材９０は、一例として、胴部２２の開口２１から他端まで延びている。他の例では、第５の洗浄部材９０は、開口２１から第２の洗浄部材４５まで延びてもよい。なお、第５の洗浄部材９０の長さは、上述したものに限定されるものではない。なお、図１０は、変形例に係る洗浄具１０の胴部２２を展開した状態を示す平面図である。図１０では、第５の洗浄部材９０を明確にする為に、第５の洗浄部材９０にハッチングを施している。このハッチングは、断面を示すものではない。
【００６１】
また、本実施形態では、第１の洗浄部４１は、その断面が矩形に形成されており、胴部２２の径方向内側に位置する角部４１ｅは、９０度に形成されている。しかしながら、角部４１ｅは、９０度であることに限定されない。図１１は、変形例に係る洗浄具１０を、第１の洗浄部４１の中心線に直交する断面に沿って切断した状態を示している。図１１に示すように、第１の洗浄部４１は、第１の洗浄部４１の中心線に直交する断面に沿って切断したときに、角部４１ｅが鋭角となる形状に形成されてもよい。例えば、第１の洗浄部材４３は、第１の洗浄部材４３の長手方向に直交する断面が、台形状に形成されてもよい。角部４１ｅが鋭角に形成されることにより、第１の洗浄部４１は、シャワーノズル５の表面に付着した汚れをこそぎ落としやすくなる。同様に、図７の変形例の角部６３ｃ、図８及び図９の変形例の角部７３も、鋭角に形成されてもよい。なお、角部４１ｅ，６３ｃ，７３は、９０度または鋭角であることに限定されない。他の例では、角部４１ｅ，５３ｃ，７３は、鈍角であってもよい。
【００６２】
また、本実施形態では、第１の洗浄部４１の内径が、使用が想定されるシャワーノズル５の外径よりも小さく設定されている。第１の洗浄部４１の内径をこのように設定することにより、外郭体２０内にシャワーノズル５を挿入すると、第１の洗浄部４１の角部４１ｅ及び内面がシャワーノズル５の外周面に接触する。
【００６３】
例えば、外郭体２０は、やわらかい材料で形成されることにより、可撓性を有してもよい。ここで言う可撓性とは、使用者が握ることにより、第１の洗浄部４１の内径が小さくなるように外郭体２０が変形可能となる性質である。
【００６４】
このように外郭体２０が可撓性を有することにより、シャワーノズル５の外径が、第１の洗浄部４１の内径よりも小さい場合であっても、使用者が外郭体２０を強く握ることによって外郭体２０が変形することにより、第１の洗浄部４１の角部４１ｅ及び内周面がシャワーノズル５の外周面に接触可能となる。
【００６５】
さらに、シャワーノズル５の外径が第１の洗浄部４１の内径と同径であっても、使用者が外郭体２０を強く握ることにより、第１の洗浄部４１をシャワーノズル５に強く押し付けることが可能となる。
【００６６】
次に、本発明の第２の実施形態に係る洗浄具１０Ａを、図１２を用いて説明する。なお、第１の実施形態と同様の機能を有する構成は、第１の実施形態と同一の符号を付して説明を省略する。
【００６７】
図１２は、洗浄具１０Ａを示す正面図である。図１２に示すように、洗浄具１０Ａは、筒状に形成された外郭体２０Ａ、外郭体２０Ａに着脱可能に取り付けられ、一方の開口２１Ａを塞ぐ第１の蓋部材３０Ａ、外郭体２０Ａに着脱可能に取り付けられ、他方の開口２１Ｂを塞ぐ第２の蓋部材３０Ｂ、及び、外郭体２０Ａの内面及び第２の蓋部材３０Ｂの内面に設けられた洗浄部４０を有している。
【００６８】
外郭体２０Ａは、本実施形態では、一例として円筒状に形成されている。外郭体２０Ａは、透明な材料から形成されており、外部から内部を見ることができる。外郭体２０Ａは、例えば、第１の実施形態の胴部２２と同様に形成されている。
【００６９】
第１の蓋部材３０Ａ、及び第２の蓋部材３０Ｂは、蓋部材３０と同様に構成されており、それぞれ、蓋部材用胴部３１、及び、蓋部材用底部３２を有している。第１の蓋部材３０Ａは、外郭体２０Ａの一方の開口２１Ａを閉塞する。第２の蓋部材３０Ｂは、外郭体２０Ａの他方の開口２１Ｂを閉塞する。
【００７０】
洗浄部４０は、外郭体２０Ａの内周面２４Ａに設けられた第１の洗浄部４１、及び、第２の蓋部材３０Ｂの蓋部材用底部３２の内面に設けられた第２の洗浄部４２を有している。内周面２４Ａは、第１の実施形態の胴部２２の内周面２４と同様である。内周面２４Ａに第１の洗浄部材４３が固定されることにより、第１の洗浄部４１が構成される。
【００７１】
洗浄具１０Ａは、第１の蓋部材３０Ａを取り外し、第２の蓋部材３０Ｂを取り付けた状態とすることにより、第１の実施形態の洗浄具１０と同様に使用可能である。さらに、第２の蓋部材３０Ｂを取り外すことによって、シャワーノズル５の洗浄時に、シャワーノズル５からの水を噴射させた状態でも、洗浄具１０Ａによりシャワーノズル５を洗浄することができる。この点について、具体的に説明する。
【００７２】
シャワーノズル５は、使用時は便器内に突出した位置に配置され、使用時以外では退避した位置に収容される。シャワーノズル５を洗浄具１０Ａにより洗浄する際には、シャワーノズル５を便器内に突出した位置に配置する必要がある。シャワーノズル５の洗浄時には、シャワーノズル５は、水を噴射する必要はない。しかしながら、シャワーノズル５の種類によっては、便器内に突出した位置に配置されたときの水の噴射を停止できないものがある。
【００７３】
このようなシャワーノズル５を洗浄する場合では、使用者は、第２の蓋部材３０Ｂを取り外す。第２の蓋部材３０Ｂを取り外すことにより、シャワーノズル５の洗浄時にシャワーノズル５から噴射された水は、外郭体２０Ａの他方の開口２１Ｂから外部に流れ出る。
【００７４】
このように、本実施形態の洗浄具１０Ａは、第１の実施形態と同様の効果が得られる。さらに、シャワーノズル５からシャワーを停止できない場合においても、シャワーノズル５を洗浄することができる。
【００７５】
なお、第１の実施形態及び第２の実施形態では、洗浄具１０，１０Ａは、一例として、シャワーノズル５を洗浄可能に形成されている。しかしながら、洗浄具１０，１０Ａは、シャワーノズル５のみを洗浄対象とするものではない。洗浄具１０，１０Ａは、シャワーノズル５のように、円柱など柱形状のものを洗浄可能である。
【００７６】
なお、第１の実施形態及び第２の実施形態では、第１の洗浄部４１、及び第２の洗浄部４２が外郭体２０，２０Ａの内面に形成された後、第１の洗浄部４１、及び第２の洗浄部４２に洗剤が付着された。しかしながら、洗剤は、第１の洗浄部４１及び第２の洗浄部４２が形成されてから付着されることに限定されない。他の例では、予め、洗剤が付着された洗浄部材４３，４５，６０，７０を外郭体２０，２０Ａの内面に固定することにより、第１の洗浄部４１、及び第２の洗浄部４２が形成されてもよい。  
このように、予め洗剤を洗浄部材に付着する方法の一例を、説明する。洗浄部材としては、例えばスポンジを用いる。そして、樹脂系接着剤を用いて、酸及び研磨材を固着させることにより担持させる。より具体的には、研磨材、酸、及び樹脂系接着剤を、トルエンなどの有機溶剤に分散させた接着剤容器に、スポンジを浸漬する。その後、スポンジを引き上げて、乾燥または接着剤を固化させることにより、研磨材及び酸をスポンジに担持させる。
【００７７】
なお、第１の実施形態では、胴部２２及び蓋部材用胴部３１は、円筒状に形成された。しかしながら、胴部２２及び蓋部材用胴部３１は、円筒状に形成されることに限定されない。例えば、胴部２２及び蓋部材用胴部３１は、その軸線に直交する断面が矩形状であってもよい、または、三角形であってもよい。このように、胴部２２の外観が、多角形の柱状であることにより、使用者は、洗浄具を把持しやすくなるので、作業性が向上する。第２の実施形態の外郭体２０Ａ、及び、蓋部材３０Ａ，３０Ｂの蓋部材用胴部３１も同様である。
【００７８】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００７９】
１０…洗浄具、１０Ａ…洗浄具、２０…外郭体、２０Ａ…外郭体、２２…胴部、２３…底部、２４…内周面（内面）、２４Ａ…内周面（内面）、３０…蓋部材、３０Ａ…蓋部材、３０Ｂ…蓋部材、４１…第１の洗浄部（洗浄部）、４３…第１の洗浄部材、７０…第４の洗浄部材。
【図１】
2019065504.tif 000003
【図２】
2019065504.tif 000004
【図３】
2019065504.tif 000005
【図４】
2019065504.tif 000006
【図５】
2019065504.tif 000007
【図６】
2019065504.tif 000008
【図７】
2019065504.tif 000009
【図８】
2019065504.tif 000010
【図９】
2019065504.tif 000011
【図１０】
2019065504.tif 000012
【図１１】
2019065504.tif 000013
【図１２】
2019065504.tif 000014